(57)【特許請求の範囲】
【請求項１】
外部から可用電圧（ａｖａｉｌａｂｌｅ  ｖｏｌｔａｇｅ）の供給を受ける充電式バッテリ（１０）と、
前記充電式バッテリ（１０）から供給される直流電源を１０ｋＨｚないし１００ｋＨｚ及び１ｋＶないし７ｋＶの交流電力として出力する高電圧供給モジュール（２０）と、
パネル形状の電極（３１）と前記電極（３１）を包み込む誘電体（３２）からなって前記高電圧供給モジュール（２０）の出力が伝達されることによって、誘電体バリア放電（Ｄｉｅｌｅｃｔｒｉｃ  ｂａｒｒｉｅｒ  ｄｉｓｃｈａｒｇｅ）が発生されるようにするプラズマ生成モジュール（３０）と、
を含む携帯用プラズマ肌改善装置であって、
前記携帯用プラズマ肌改善装置は、前記充電式バッテリ（１０）、前記高電圧供給モジュール（２０）及び前記プラズマ生成モジュール（３０）を内部に収容する前後方カバー（４０、５０）をさらに含み、
前記携帯用プラズマ肌改善装置は、前記充電式バッテリ（１０）の可用電圧受容のための充電端子（７１）を提供し、バッテリ残量を確認するための電源管理モジュール（７０）をさらに含み、
前記携帯用プラズマ肌改善装置は、電気的に接地されるように前記電源管理モジュール（７０）に接続され、一部が前記前後方カバー（４０、５０）の外側に露出される接地部（８０）をさらに含み、
前記接地部（８０）は金属コーティングされ、外側に露出される部位には非伝導コーティングが追加で行われることを特徴とする携帯用プラズマ肌改善装置。
【請求項２】
前記前後方カバー（４０、５０）のうち前方カバー（４０）に着脱可能に結合されるヘッド（６０）と、をさらに含み、
前記プラズマ生成モジュール（３０）は、表面が外部に露出されるように前記ヘッド（６０）に配置され、前記電極（３１）と接続された状態で前記ヘッド（６０）を経て前方カバー（４０）の内側に延長される伝導性ピン（３３）を備え、
前記前方カバー（４０）の内側には、前記高電圧供給モジュール（２０）と接続され、自らの弾性によって前記伝導性ピン（３３）と接触されるテンションターミナル（３４）が備わることを特徴とする請求項１に記載の携帯用プラズマ肌改善装置。
【請求項３】
前記ヘッド（６０）には、空気中の誘電体バリア放電を容易にするために、前記プラズマ生成モジュール（３０）の表面と肌との間に一定空間が形成されるようにする突出部（６１）が備わることを特徴とする請求項２に記載の携帯用プラズマ肌改善装置。
【請求項４】
前記充電式バッテリ（１０）は内装型であるか、又は着脱可能であることを特徴とする請求項１に記載の携帯用プラズマ肌改善装置。
【請求項５】
前記充電式バッテリ（１０）の可用電圧受容のための充電端子（７１）を提供し、バッテリ残量を確認するための電源管理モジュール（７０）をさらに含むことを特徴とする請求項１に記載の携帯用プラズマ肌改善装置。
【請求項６】
電気的に接地されるように前記電源管理モジュール（７０）に接続され、一部が前記前後方カバー（４０、５０）の外側に露出される接地部（８０）をさらに含むことを特徴とする請求項１に記載の携帯用プラズマ肌改善装置。
【請求項７】
前記接地部（８０）の金属コーティングは、１０Ω／ｃｍ２以下の抵抗を有するように行われることを特徴とする請求項１に記載の携帯用プラズマ肌改善装置。
【請求項８】
前記接地部（８０）の非伝導コーティングは、２０μｍないし５０μｍの厚さを有するようになることを特徴とする請求項１に記載の携帯用プラズマ肌改善装置。
【請求項９】
前記高電圧供給モジュール（２０）は、
前記充電式バッテリ（１０）から電源供給を受けるＤＣ入力部（２１）と、
前記ＤＣ入力部（２１）を経て伝達される電圧のＯＮ／ＯＦＦを制御するためのＤＣ電圧制御部（２２）と、
前記ＤＣ電圧制御部（２２）の出力電圧を低周波高電圧交流電力として出力するＡＣ高電圧変換部（２３）と、
からなることを特徴とする請求項１に記載の携帯用プラズマ肌改善装置。
【請求項１０】
前記高電圧供給モジュール（２０）は、０．１Ｈｚないし１ｋＨｚのＯＮ／ＯＦＦの周期を有するパルスを出力することを特徴とする請求項１に記載の携帯用プラズマ肌改善装置。
【請求項１１】
前記誘電体（３２）は、外部に露出される上板（３２‐１）と対向配置される下板（３２‐２）で構成され、前記上板（３２‐１）は、その厚さを１ｍｍ以下とし、前記下板（３２‐２）は、上板（３２‐１）よりさらに厚いことを特徴とする請求項１に記載の携帯用プラズマ肌改善装置。
【請求項１２】
前記高電圧供給モジュール（２０）の出力及びＯＮ／ＯＦＦを制御するための電力制御モジュール（９０）をさらに含むことを特徴とする請求項１に記載の携帯用プラズマ肌改善装置。
【請求項１３】
外部から可用電圧（ａｖａｉｌａｂｌｅ  ｖｏｌｔａｇｅ）の供給を受ける充電式バッテリ（１０）と、
前記充電式バッテリ（１０）から供給される直流電源を１０ｋＨｚないし１００ｋＨｚ及び１ｋＶないし７ｋＶの交流電力として出力する高電圧供給モジュール（２０）と、
パネル形状の電極（３１）と前記電極（３１）を包み込む誘電体（３２）からなって前記高電圧供給モジュール（２０）の出力が伝達されることによって、誘電体バリア放電（Ｄｉｅｌｅｃｔｒｉｃ  ｂａｒｒｉｅｒ  ｄｉｓｃｈａｒｇｅ）が発生されるようにするプラズマ生成モジュール（３０）と、
を含む携帯用プラズマ肌改善装置であって、
前記携帯用プラズマ肌改善装置は、
前記充電式バッテリ（１０）、前記高電圧供給モジュール（２０）及び前記プラズマ生成モジュール（３０）を内部に収容する前後方カバー（４０、５０）と、
前記前後方カバー（４０、５０）のうち前方カバー（４０）に着脱可能に結合されるヘッド（６０）と、
をさらに含み、
前記プラズマ生成モジュール（３０）は、表面が外部に露出されるように前記ヘッド（６０）に配置され、前記電極（３１）と接続された状態で前記ヘッド（６０）を経て前記前方カバー（４０）の内側に延長される伝導性ピン（３３）を備え、
前記前方カバー（４０）の内側には、前記高電圧供給モジュール（２０）と接続され、自らの弾性によって前記伝導性ピン（３３）と接触されるテンションターミナル（３４）が備わっており、
前記ヘッド（６０）には、空気中の誘電体バリア放電を容易にするために、前記プラズマ生成モジュール（３０）の表面と肌との間に一定空間が形成されるようにする突出部（６１）が備わっており、
前記突出部（６１）は、前記プラズマ生成モジュール（３０）が外部に離脱されないように前記プラズマ生成モジュール（３０）を支持することを特徴とする携帯用プラズマ肌改善装置。
【発明の詳細な説明】
【技術分野】
【０００１】
本発明は、誘電体バリア放電（Ｄｉｅｌｅｃｔｒｉｃ  ｂａｒｒｉｅｒ  ｄｉｓｃｈａｒｇｅ）機器に関するものとして、より詳細には、大気圧で誘電体バリア放電を通じてプラズマを発生させて、肌状態の改善を可能とする携帯用プラズマ肌改善装置に関する。
【背景技術】
【０００２】
物質の中で最も低いエネルギ状態は固体である。固体がエネルギを受けて次第に液体になり、次には気体に転移される。この時、中性気体にイオン化エネルギ以上の十分なエネルギが印加されれば、イオン化及び電子とイオンの再結合によって電子、イオン、中性原子及び分子からなるプラズマを作ることができる。
【０００３】
プラズマ内部には、正電荷、負電荷がほぼ同じ量で混在して自由粒子に近いブラウン運動をしながらも電気的に中性を維持しているため、電気的にイオン化された伝導性ガス種と言われる。
【０００４】
プラズマは、プラズマ密度、電子温度、種の間の熱平衡程度、発生方式、応用分野など様々な区分基準があるが、密度と電子温度に分類することが最も基本である。プラズマを熱平衡程度によって区分して、局所熱平衡（ｌｏｃａｌ  ｔｈｅｒｍａｌ  ｅｑｕｉｌｉｂｒｉｕｍ；ＬＴＥ）と非局所熱平衡（ｎｏｎ−ＬＴＥ）に分け、局所熱平衡という用語はプラズマ粒子の全ての温度がプラズマの局所的領域で同じ熱力学的状態を意味する。
【０００５】
研究や製造工程のためのプラズマは、大抵ＬＴＥ又はｎｏｎ−ＬＴＥの一つであり、一般的に前者を熱プラズマ、後者を低温プラズマという。
【０００６】
本発明では、低温プラズマを対象とし、低温プラズマの中で大気圧プラズマに属する。
【０００７】
大気圧プラズマは、主に物質の表面改質及びコーティング、環境浄化などの分野に活用するなかで、最近は生体適用とバイオメディカル分野に応用され、大気圧プラズマジェット研究が活発に行われている。
【０００８】
プラズマジェットの電極構造は殆ど針の形の針電極構造であり、電源装置に従って多様な構成方式が研究されているが、主に外部から不活性ガスが注入され、針電極構造に高電圧が加えられて、プラズマが発生する。一方、小型の円形平行平板の中心に小さな構成を設置した誘電体バリア放電（Ｄｉｅｌｅｃｔｒｉｃ  ｂａｒｒｉｅｒ  ｄｉｓｃｈａｒｇｅ；ＤＢＤ）方式のプラズマジェット装置も紹介されている。
【０００９】
プラズマジェットの電源装置は、駆動周波数に応じて様々な種類が紹介されている。数十ないし数百ｋＨｚの低周波放電の電源装置としては、ＤＣパルス電源とＡＣ電源がある。高周波放電のＭＨｚないしＧＨｚの範囲では、ＲＦ（ｒａｄｉｏ ｆｒｅｑｕｅｎｃｙ）とＭＷ（ｍｉｃｒｏｗａｖｅ）が該当し、それぞれの電源装置による消費電力は応用分野によって異なる。バイオメディカル分野に使用されるプラズマジェットの消費電力は、大抵１００Ｗ以下である。
【００１０】
プラズマジェットは、殺菌及び滅菌を目的として多く使われている。酸素ラジカルを含むプラズマを用いて歯牙美白と病原菌の破壊、血液凝固などに活用が研究されている。このようなバイオメディカル分野の活用において主要な争点は、装置の小型化と制御の容易性、人体に対する安定性の確保である。
【００１１】
生体の細胞や人体に直接適用するために、電気的な衝撃に対する安定性確保がプラズマ分野で重要な課題である。したがって、安定性確保のためには、高電圧の電極が試料及び人体に直接接触してはならない。電極に印加される駆動電圧を低くし、プラズマ電流量を１ないし２ ｍＡの小さな値に制御して、生体に対する電気的な衝撃がないようにしなければならない。人体が感知できる最小電流が６０ Ｈｚ商用周波数交流で、成人男性の場合約１ｍＡであり、周波数の増加に応じて感知電流は増加する。また、苦痛を感じる電流は７ないし８ ｍＡであり、それ以上の高い電流は電気的だけでなく、熱的に危険な要素となる。
【００１２】
次に、プラズマを用いた従来の技術において、プラズマを用いた携帯用美容機器（韓国登録実用新案第２０-０４５４５３８号）には、軽薄短小化されたプラズマを用いて顔又は肌に付着している細菌を撲滅する技術が記載され、プラズマ肌再生装置（韓国登録特許第１０-１２６２３２号）には、グロープラズマを生成して肌の治療に使用できる技術が記載されている。
【００１３】
また、従来のプラズマを用いた携帯用美容機器とプラズマ肌再生装置は、プラズマの発生のために窒素、アルゴン、ヘリウムなどのようなガスを要することによって、作業時間及び作業環境は限定され、作業中にガスを充填又は交換しなければならない面倒さがある。
【先行技術文献】
【特許文献】
【００１４】
【特許文献１】大韓民国登録実用新案公報第２０-０４５４５３８号
【特許文献２】大韓民国登録特許公報第１０-１２６２６３２号
【発明の概要】
【発明が解決しようとする課題】
【００１５】
本発明の携帯用プラズマ肌改善装置は、プラズマ発生のためにガスを使用する従来方式とは別に、ガスを使用しないため携帯が可能であると共に、肌改善に適したプラズマを発生させることにその目的がある。
【００１６】
また、本発明は、誘電体に包み込んだ電極を通じて広い面積で低電力、低温のプラズマを生成することによって肌の損傷を防止する共に、美白、肌の弾力改善効果を示すか、又はニキビのような肌のトラブル、シワなどの肌の問題を改善することにその目的がある。
【００１７】
また、本発明は、プラズマが直接的に発生される電極の交換が可能とすることによって、長期間の使用によって電極が損なわれても機器の使用に支障がないようにすることにその目的がある。
【課題を解決するための手段】
【００１８】
このために、本発明は、外部から可用電圧（ａｖａｉｌａｂｌｅ  ｖｏｌｔａｇｅ）の供給を受ける充電式バッテリと、前記バッテリから供給される直流電源を１０ ｋＨｚないし１００ ｋＨｚ及び１ ｋＶないし７ ｋＶの交流電力として出力する高電圧供給モジュールと、パネル形状の電極と前記電極を包み込む誘電体からなって前記高電圧供給モジュールの出力が伝達されることによって、誘電体バリア放電（Ｄｉｅｌｅｃｔｒｉｃ  ｂａｒｒｉｅｒ  ｄｉｓｃｈａｒｇｅ）が発生されるようにするプラズマ生成モジュールと、を含んでなることを特徴とする。
【００１９】
また、本発明は、前記バッテリ、高電圧供給モジュール及びプラズマ生成モジュールを内部に収容する前後方カバーと、前記前方カバーに着脱可能に結合されるヘッドと、をさらに含み、前記プラズマ生成モジュールは、表面が外部に露出されるように前記ヘッドに配置され、前記電極と接続された状態で前記ヘッドを経て前方カバー内側に延長される伝導性ピンを備え、前記前方カバー内側には、前記高電圧供給モジュールと接続され、自らの弾性によって前記伝導性ピンと接触されるテンションターミナルが備わることを特徴とする
【００２０】
ここで、前記ヘッドには、空気中の誘電体バリア放電を容易にするために、前記プラズマ生成モジュールの表面と肌との間に一定空間が形成されるようにする突出部が備わる一方、前記突出部は、前記プラズマ生成モジュールが外部に離脱されないように支持することを特徴とする。
【００２１】
また、本発明は、前記充電式バッテリが内装型であるか、又は着脱可能である一方、前記充電式バッテリの可用電圧受容のための充電端子を提供し、バッテリ残量を確認するための電源管理モジュールをさらに含むことを特徴とする。
【００２２】
さらに、本発明は、電気的に接地されるように前記電源管理モジュールに接続され、一部が前記前後方カバーの外側に露出される接地部をさらに含み、ここで前記接地部は全体的に金属コーティングされ、外側に露出される部位は非伝導コーティングが追加で行われる射出成形物であることを特徴とする。
【００２３】
さらに詳細に、前記接地部の金属コーティングは、１０Ω／ｃｍ２以下の抵抗を有し、非伝導コーティングは、２０μｍないし５０μｍの厚さを有するようになることを特徴とする。
【００２４】
また、 前記高電圧供給モジュールは、前記バッテリから電源供給を受けるＤＣ入力部と、前記ＤＣ入力部を経て伝達される電圧のＯＮ／ＯＦＦを制御するためのＤＣ電圧制御部と、前記ＤＣ電圧制御部の出力電圧を低周波高電圧交流電力として出力するＡＣ高電圧変換部からなり、０.１ Ｈｚないし１ ｋＨｚのＯＮ／ＯＦＦの周期を有するパルスを出力することを特徴とする。
【００２５】
一方、前記誘電体は、外部に露出される上板と対向配置される下板で構成され、前記上板は、その厚さを１ ｍｍ以下とし、前記下板は、上板よりさらに厚いことを特徴とする。
【００２６】
また、本発明は、前記高電圧供給モジュールの出力及びＯＮ／ＯＦＦを制御するための電力制御モジュールをさらに含むことを特徴とする。
【発明の効果】
【００２７】
本発明による携帯用プラズマ肌改善装置は、プラズマの効率性を高めるためにガスを採択して使用する従来の方式と違って、高電圧供給モジュール及びパネル形状のプラズマ生成モジュールを通じて肌に安全なプラズマを広い面積にわたって空気の中で発生させることができることによって、小型化された携帯用構造で、誰でも便利に肌の状態を改善させる目的で使用することができる。
【００２８】
また、本発明による肌改善装置は、比較的広い面積に低電力低温プラズマを発生させることができることによって、様々な論文や学術雑誌に記載されたプラズマによる肌の改善効果、例として、肌又は毛穴の中の細菌、有機物、異物などを除去し、真皮層の線維芽細胞を刺激してコラーゲン及びエラスチンの形成を促進させて、肌再生及び弾力に役立つ効果を示す。
【００２９】
また、本発明は、肌にプラズマを直接的に発生させるプラズマ生成モジュールを交換できようにすることによって、反復的な使用や不適切な管理によって損なっても、単純の交換過程を通じて半永久的な使用が可能である。
【図面の簡単な説明】
【００３０】
【図１】本発明による携帯用プラズマ肌改善装置の動作原理を示したブロック図である。
【図２】本発明による携帯用プラズマ肌改善装置の外観を示した図面である。
【図３】本発明による携帯用プラズマ肌改善装置の外観を示した図面である。
【図４】本発明による携帯用プラズマ肌改善装置の外観を示した図面である。
【図５】本発明による携帯用プラズマ肌改善装置の内部構造を示した図面である。
【図６】本発明による携帯用プラズマ肌改善装置の内部構造を示した図面である。
【図７】本発明による携帯用プラズマ肌改善装置のうち、プラズマ生成モジュールを示した断面図である。
【図８】本発明による携帯用プラズマ肌改善装置のうち、高電圧供給モジュールで出力されるパルスの一例を示した図面である。
【発明を実施するための形態】
【００３１】
以下、本発明による携帯用プラズマ肌改善装置を図面を参照して説明する。
図１は、本発明の携帯用プラズマ肌改善装置の動作原理を示したブロック図である。
【００３２】
本発明による携帯用プラズマ肌改善装置は、基本的に充電式バッテリ１０と、バッテリ１０から供給される電源を低周波高電圧の交流電力として出力する高電圧供給モジュール２０と、高電圧供給モジュール２０の出力が伝達されることによって、誘電体バリア放電（Ｄｉｅｌｅｃｔｒｉｃ  ｂａｒｒｉｅｒ  ｄｉｓｃｈａｒｇｅ）が発生されるようにするプラズマ生成モジュール３０と、を含んで、プラズマ生成モジュール３０側に肌改善を可能にするプラズマを発生させる。
【００３３】
前記充電式バッテリ１０は、図５のように内装型に設置されるか、又は従来の携帯電話、ＰＭＰ（Ｐｏｒｔａｂｌｅ  Ｍｕｌｔｉｍｅｄｉａ  Ｐｌａｙｅｒ）などに適用されるように着脱可能な形で設置されて、外部から可用電圧の供給を受けるようになるが、例えば、１１０Ｖ又は２２０Ｖの商用電圧を減圧出力するアダプタやコンピュータ、ノートパソコンなどに接続されるＵＳＢケーブルを通じて可用電圧の供給を受けるようになり、既製のバッテリの使用が可能である。
【００３４】
前記高電圧供給モジュール２０は、バッテリ１０から供給される直流電源を低周波高電圧交流電力として出力することになるが、好ましくは、１０ ｋＨｚないし１００ ｋＨｚの低周波と１ ｋＶないし７ ｋＶの高電圧を出力するように行い、特に０.１ Ｈｚないし１ ｋＨｚのＯＮ／ＯＦＦの周期を有するパルス（図８参照）を出力するように機能する。
【００３５】
ここで、前記高電圧供給モジュール２０の低周波高電圧範囲と出力電圧ＯＦＦの周期を制限する理由は、プラズマ生成モジュール３０の過多温度上昇を防止し、オゾン発生量の抑制のためであるが、より具体的には言及された低周波高電圧をプラズマ生成モジュール３０が持続的に伝達される場合、短期間に肌に損傷を与える程度の温度まで到達し、プラズマ放電の時、付随して発生するオゾンによって使用者がその特有の生臭いにおいに拒否感を示すことがあるため、０.１ Ｈｚないし１ ｋＨｚの時間差を置いて、記述の低周波高電圧を供給した時、プラズマ生成モジュール３０の温度が最大４０℃を超えなくなり、オゾンも微量だけ発生する。
【００３６】
このような前記高電圧供給モジュール２０は、図１のように、バッテリ１０から電源供給を受けるＤＣ入力部２１と、ＤＣ入力部２１を経て伝達される電圧のＯＮ／ＯＦＦを制御するためのＤＣ電圧制御部２２と、ＤＣ電圧制御部２２の出力電圧を低周波高電圧交流電力として出力するＡＣ高電圧変換部２３で構成され、ここで前記ＤＣ電圧制御部２２は、高電圧供給モジュール２０のパルスが０.１ Ｈｚないし１ ｋＨｚのＯＮ／ＯＦＦの周期を有するように機能する。
【００３７】
前記プラズマ生成モジュール３０は、円形、四角形、楕円形など、様々なパネル形状を有する電極３１と電極３１を包み込む誘電体３２からなって高電圧供給モジュール２０の出力が伝達されることによって、誘電体バリア放電が発生されるが、ここで図７に示した通り、誘電体３２の場合、機器外部に露出されて肌にプラズマを放電させる上板３２-１とこれに対向配置される下板３２-２で構成される。
【００３８】
参考に、前記電極３１は、伝導体である金、銀、銅、モリブデン-マンガンなどの材質からなることが好ましい。
【００３９】
ここで前記上板３２-１はプラズマ放電の形のうち、肌の損傷を与えるアーク放電が発生することを防止するとともに肌改善に効果的なプラズマ放電のためにその厚さを１ ｍｍ以下とし、下板３２-２は上板３２-１よりさらに厚い厚さを有することによって、下板３２-２側にはプラズマ放電現象が発生しない。
【００４０】
また、前記上下板３２-１、３２-２は、その材質がセラミック、シリコン、石英などであることが好ましい。
【００４１】
さらに、本発明による携帯用プラズマ肌改善装置は、バッテリ１０、高電圧供給モジュール２０及びプラズマ生成モジュール２０を内部に収容する前後方カバー４０、５０と、前方カバー４０に着脱可能に結合されるヘッド６０を図２及び図３のように含む。
【００４２】
前記前後方カバー４０、５０は、互いに着脱可能に結合する構造で、使用者が手で握って楽に動かす大きさで、本発明の様々な構成要素の設置を可能にする構図であれば、どのようなデザインでも適用可能である。
【００４３】
前記ヘッド６０は、プラズマ生成モジュール３０が挿入されて、その表面、つまり上板３２-１が外部に露出されるようにする空間を提供する一方、前方カバー４０に着脱可能にねじ結合される構造を有するが、ここでプラズマ生成モジュール３０が電極３１と接続された状態でヘッド６０を経て前方カバー４０内側に延長される伝導性ピン３３をさらに有するようにし、前方カバー４０内側には伝導性ピン３３と接触されるテンションターミナル３４が備わることによって、ヘッド６０と前方カバー４０が結合した時、前方カバー４０内側に進入される伝導性ピン３０が自らの弾性を有するテンションターミナル３４を押し出しながらテンションターミナル３４と接触された状態を維持し、これを通じて高電圧供給モジュール２０の出力電圧がテンションターミナル３４を経て電極３１まで到達可能となる。結果的には、このような構造を通じて反復的な使用や外部的な衝撃によってプラズマ生成モジュール３０が損なわれても、この交換が可能となる。
【００４４】
また、前記ヘッド６０には、空気中で誘電体バリア放電を容易にするために、プラズマ生成モジュール３０の表面、つまり上板３２-１の表面と肌との間に一定空間が形成されるようにする突出部６１が備われ、好ましい突出部６１の高さは１ ｍｍないし１.３ ｍｍとして、肌と上板３２-１との間の空間でプラズマが発生されるようにする。
【００４５】
さらに、前記のヘッド６０に設置されるプラズマ生成モジュール３０が外部に離脱されないようにヘッド６０の突出部６１の一部は上板３２-１の縁を支持する形状を有する。
【００４６】
一方、本発明の携帯用プラズマ肌改善装置は、前記充電式バッテリ１０の可用電圧受容のための充電端子７１を提供し、バッテリ１０の残量をＬＥＤ、ＬＣＤなどを通じて肉眼で確認できる電源管理モジュール７０をさらに含む。
【００４７】
また、本発明は、電源管理モジュール７０に電気的に接地されるように接続され、一部が前後方カバー４０、５０の外側に露出される接地部８０を含むが、ここで接地部８０は金属をその材質で行うこともあるが、より好ましくは、全体的にクロムコーティングのような金属コーティングされた状態で外側に露出される部分はＵＶコーティングのような非伝導コーティングが追加で行われる射出成形物として、機器全体の重さを減少させるか、又はアーク放電の発生を防止することに効果的である。
【００４８】
前記記述された接地部８０によると、使用者が手で接地部８０接触と同時に前後方カバー４０、５０を握った状態で、ヘッド６０の突出部６１が肌と接触されれば、上板３２-１の表面及び肌の間の空間でプラズマが発生されるが、使用者が接地部８０に接触していない状態ではプラズマが発生しない。
【００４９】
さらに、前記接地部８０の金属コーティングは１０Ω／ｃｍ２以下の抵抗を有し、非伝導コーティングは２０μｍないし５０μｍの厚さを有することが好ましく、このような理由は、金属コーティングが１０Ω／ｃｍ２を超過すれば、接地部８０と電源管理モジュール７０との間の接続不良の原因となり、また非伝導物の厚さが上に言及された形で形成されなければ、薄い時は肌と接地部との間でアーク放電が発生されるか、又は厚い時はコーティング面が均一でない問題点がある。
【００５０】
また、本発明は、高電圧供給モジュール２０の出力及びＯＮ／ＯＦＦを制御するための電力制御モジュール９０を備えて、バッテリ１０から電源が供給されるか否かを管理し、又は高電圧供給モジュール２０のパルスモードを記述された範囲内で変更可能とし、このような制御動作選択を視覚的に可能になるようにＬＥＤのような素子を含んで構成される。
【００５１】
以下に、本発明による携帯用プラズマ肌改善装置の人体適用の試験結果に対して説明する。
１）試験場所
本人体適用試験は、韓国皮膚臨床学研究所で同一の洗顔料で洗顔した後、３０分間恒温恒湿室（温度：２２±１℃、湿度：４５±５％）で安静をした後、測定した。
【表１】
0006625648.tif 000002
２）測定
【００５２】
（１）分光光度計と全顔撮影システムダーマビジョンによる肌色（ブライトニング）改善の評価
【００５３】
本試験では、試験製品の肌色（ブライトニング）改善評価のために分光光度計（Ｓｐｅｃｔｒｏｐｈｏｔｏｍｅｔｅｒ  ＣＲ−２６００Ｄ、Ｋｏｎｉｃａ  Ｍｉｎｏｌｔａ、ｊａｐａｎ）と全顔撮影システムダーマビジョン（Ｄｅｒｍａｖｉｓｉｏｎ Ｐｒｏ、ＯｐｔｏＢｉｏＭｅｄ Ｃｏ.、Ｋａｎｇｗｏｎ、Ｋｏｒｅａ）を適用した。分光光度計は、同一の試験担当者が全ての被試験者の右の頬部位を３回連続で測定し、それに対する平均値を算定して分析に使用した。分光光度計の測定値はＬ＊、ａ＊、ｂ＊の３つの因子で構成されており、Ｌ＊値は明暗（ｂｒｉｇｈｔｎｅｓｓ）、ａ＊値は赤色（ｒｅｄｎｅｓｓ）、ｂ＊値は黄色（ｙｅｌｌｏｗｎｅｓｓ）を示す。試験製品の肌色（ブライトニング）改善を測定する値としては、肌の明るさを示すＬ＊ｖａｌｕｅを分析に使用し、測定値が増加すればするほど、肌の明るさが改善されたことを意味する。全顔撮影システムダーマビジョンは、一貫した撮影のために均一な照明と同一のポジションで同一の試験担当者が全ての被試験者の顔面部位を測定した。被試験者の額のヘアラインを確保するために、毛髪をヘアバンドで固定させた後、同一の上衣ガウンを着用し、椅子に座らせ、顔を固定したまま顔の正面を撮影した。機器測定は試験製品の使用前と使用直後、３週間使用後、６週間使用後の時点で行われた。
【表２】
0006625648.tif 000003
【００５４】
表２のように、Ｌ＊値の増加を通じて被試験者の肌の明るさが改善されたことを確認することができた。
（２）ＰＲＩＭＯＳ Ｌｉｔｅ（１８×１３）によるシワ改善の評価 
【００５５】
本試験では、試験製品のシワ改善の評価のために、ＰＲＩＭＯＳ Ｌｉｔｅ（ｆｉｅｌｄ ｏｆ ｖｉｅｗ １８×１３、ＧＦＭｅｓｓｔｅｃｈｎｉｋ ＧｍｂＨ、Ｇｅｒｍａｎｙ）を適用した。同一の試験担当者が全ての被試験者の右の目元のシワ部位を３回連続で撮影し、測定の再現性と測定時の動きを防止するために特殊製作したＰＲＩＭＯＳ顔面固定装備セットに被試験者の顔を固定して、測定部位がＰＲＩＭＯＳ Ｌｉｔｅのフォーカスパターンと合うように調整の上、測定した。撮影されたイメージは、ＰＲＩＭＯＳ専用ソフトウェアだったＰＲＩＭＯＳ Ｌｉｔｅ ｓｏｆｔｗａｒｅ（ＰＲＩＭＯＳ Ｌｉｔｅ ｖｅｒｓｉｏｎ ５．６Ｅ）を用いて３Ｄ Ｍａｔｃｈｉｎｇを適用した後、一致した測定部位を分析に使用した。シワの分析は、Ｓｔａｒ ｒｏｕｇｈｎｅｓｓを用いて変数値Ｒｔ（Ｔｏｔａｌ ｒｏｕｇｈｎｅｓｓ）値を計算した。測定変数値であるＲｔ値は、肌の総粗さを示す値であり、全体の測定範囲内で最も高い肌表面と最も低い肌表面からなった振幅の最高点と最低点の差の値である。Ｒｔ値が減少するほどシワが改善されたことを意味する。機器測定は、試験製品の使用前と使用直後、３週間使用後、６週間使用後の時点で行われた。
【表３】
0006625648.tif 000004
【００５６】
表３のように、Ｒｔ値が減少することを通じて被試験者のシワが改善されたことを確認することができた。
（３）ＤＵＢ−Ｓｋｉｎ Ｓｃａｎｎｅｒによる真皮緻密度改善の評価 
本試験では、試験製品の真皮緻密度改善の評価のために、高解像度の超音波を映像化する装置であるＤＵＢ−Ｓｋｉｎ Ｓｃａｎｎｅｒ（ｔｐｍ ｔａｂｅｒｎａ ｐｒｏ ｍｅｄｉｃｕｍ、Ｇｅｒｍａｎｙ）を適用し、機器測定は試験製品使用前と３週間使用後、６週間使用後の時点で行われた。試験部位に超音波検査用ジェルをつけ、ＤＵＢ−Ｓｋｉｎ Ｓｃａｎｎｅｒのｐｒｏｂｅを肌と直角になるようにした後、同一の試験担当者が全ての被試験者の左の目尻横３ｃｍの部位を同一の圧力で押して測定した。分析範囲は表皮のすぐ下から皮下脂肪層の上部までに限定し、真皮値密度を意味するパラメータであるｉｎｔｅｎｓｉｔｙを測定及び分析した。測定単位はＤｅｎｓｉｔｙであり、測定値が増加すればするほど、真皮緻密度が改善されたことを意味する。
【表４】
0006625648.tif 000005
【００５７】
表４のように、真皮緻密度が増加されたことを確認することができた。
（４）異常反応の評価 
試験担当者は、試験部位で皮膚異常である紅斑（Ｅｒｙｔｈｅｍａ）、浮腫（Ｅｄｅｍａ）、鱗せつ生成（Ｓｃａｌｉｎｇ）、かゆみ（Ｉｔｃｈｉｎｇ）、刺痛（Ｓｔｉｎｇｉｎｇ）、灼熱感（Ｂｕｒｎｉｎｇ）、こわばり（Ｔｉｇｈｔｎｅｓｓ）、チクチクした痛み（Ｐｒｉｃｋｌｉｎｇ）の有無を観察して皮膚異常反応が現れる時に等級を表示して、これに対する結果を作成した。また、被試験者を対象に皮膚異常反応に対するアンケート調査を行った。
【表５】
0006625648.tif 000006
【００５８】
表１２のように、被試験者を対象にした調査の結果、特別な皮膚以上の反応は発見されなかった。
【００５９】
以上のような人体適用試験の結果、本発明による携帯用プラズマ肌改善装置は副作用なしに肌色、シワ、肌の弾力などを改善できることが分かった。
【図１】
0006625648.tif 000007
【図２】
0006625648.tif 000008
【図３】
0006625648.tif 000009
【図４】
0006625648.tif 000010
【図５】
0006625648.tif 000011
【図６】
0006625648.tif 000012
【図７】
0006625648.tif 000013
【図８】
0006625648.tif 000014